(57)【要約】【課題】  抜染力の向上及び長期にわたる保存安定化の少なくとも一方が可能な抜染剤を提供することを提供する。【解決手段】  前記抜染剤は、二酸化チオ尿素を含む抜染剤であって、さらに、下記（ｉ）及び（ｉｉ）の少なくとも一方を含むことを特徴とする。（ｉ）モノカルボン酸塩、アスコルビン酸塩及びメタ珪酸塩からなる群から選択される少なくとも一つの塩（ｉｉ）β−ジケトン【選択図】  なし【特許請求の範囲】
【請求項１】
二酸化チオ尿素を含む抜染剤であって、
さらに、下記（ｉ）及び（ｉｉ）の少なくとも一方を含むことを特徴とする抜染剤。
（ｉ）モノカルボン酸塩、アスコルビン酸塩及びメタ珪酸塩からなる群から選択される少なくとも一つの塩
（ｉｉ）β−ジケトン
【請求項２】
前記モノカルボン酸塩が、ギ酸塩、脂肪族カルボン酸塩、及び脂肪族カルボン酸誘導体塩の少なくとも一方であることを特徴とする請求項１記載の抜染剤。
【請求項３】
前記脂肪族カルボン酸塩が、酢酸塩及び酪酸塩の少なくとも一方であることを特徴とする請求項２記載の抜染剤。
【請求項４】
前記β−ジケトンが、アセチルアセトン、マロン酸二ナトリウム、３−アセチル−γ−ブチロラクトン、デヒドロ酢酸、アセト酢酸メチル、及びＮ−メチルアセト酢酸アミドからなる群から選択される少なくとも一つであることを特徴とする請求項１から３のいずれか一項に記載の抜染剤。
【請求項５】
前記（ｉ）及び（ｉｉ）の双方を含むことを特徴とする請求項１から４のいずれか一項に記載の抜染剤。
【請求項６】
前記（ｉ）及び（ｉｉ）の少なくとも一方を含み、
さらに、下記（ｉｉｉ）を含むことを特徴とする請求項１から４のいずれか一項に記載の抜染剤。
（ｉｉｉ）アミン塩基
【請求項７】
前記（ｉｉｉ）が、１級アミン塩基である請求項６記載の抜染剤。
【請求項８】
前記（ｉｉｉ）が、２−アミノ−２−ヒドロキシメチル−１，３−プロパンジオール（ＡＨＰ）である請求項７記載の抜染剤。
【請求項９】
前記二酸化チオ尿素の配合量は、前記抜染剤全量に対し、０．５重量％〜５重量％であり、
さらに、前記（ｉ）及び（ｉｉ）の少なくとも一方の配合量は、前記抜染剤全量に対し、１重量％〜１５重量％であることを特徴とする請求項１から８のいずれか一項に記載の抜染剤。
【請求項１０】
抜染剤を含む収容容器であって、前記抜染剤が、請求項１から９のいずれか一項に記載の抜染剤であることを特徴とする収容容器。
【請求項１１】
前記収容容器の本体は、筐体を有することを特徴とする請求項１０記載の収容容器。
【請求項１２】
液体を吐出する液体吐出手段を有するインクジェット記録装置であって、
さらに、抜染剤を塗布する手段を含み、
前記抜染剤が、請求項１から９のいずれか一項に記載の抜染剤であることを特徴とするインクジェット記録装置。
【請求項１３】
布帛の抜染方法であって、
前記布帛に抜染剤を塗布する抜染剤塗布工程と、
前記抜染剤の塗布部を加熱する加熱工程とを含み、
前記抜染剤として、請求項１から９のいずれか一項に記載の抜染剤を用いることを特徴とする抜染方法。
【請求項１４】
布帛に画像を形成する画像形成方法であって、
前記布帛を抜染する抜染工程と、
前記抜染した箇所にインクを用いて画像を印刷する画像印刷工程とを含み、
前記抜染工程を、請求項１３記載の抜染方法により実施することを特徴とする画像形成方法。
【請求項１５】
前記画像印刷工程を、インクジェット方式により実施することを特徴とする請求項１４記載の画像形成方法。
【請求項１６】
二酸化チオ尿素を含む抜染剤の安定化剤であって、
下記（ｉ）及び（ｉｉ）の少なくとも一方を含むことを特徴とする安定化剤。
（ｉ）モノカルボン酸塩、アスコルビン酸塩及びメタ珪酸塩からなる群から選択される少なくとも一つの塩
（ｉｉ）β−ジケトン
【請求項１７】
二酸化チオ尿素を含む抜染剤の安定化剤であって、
前記（ｉ）及び（ｉｉ）の双方を含むことを特徴とする請求項１６記載の安定化剤。
【請求項１８】
二酸化チオ尿素を含む抜染剤の安定化剤であって、
前記（ｉ）及び（ｉｉ）の少なくとも一方を含み、
さらに、下記（ｉｉｉ）を含むことを特徴とする請求項１６記載の安定化剤。
（ｉｉｉ）アミン塩基
【請求項１９】
前記（ｉｉｉ）が、２−アミノ−２−ヒドロキシメチル−１，３−プロパンジオール（ＡＨＰ）である請求項１８記載の安定化剤。
【請求項２０】
二酸化チオ尿素を含む抜染剤の安定化方法であって、
下記（ｉ）及び（ｉｉ）の少なくとも一方を添加することを特徴とする安定化方法。
（ｉ）モノカルボン酸塩、アスコルビン酸塩及びメタ珪酸塩からなる群から選択される少なくとも一つの塩
（ｉｉ）β−ジケトン
【請求項２１】
前記抜染剤に、前記（ｉ）及び（ｉｉ）の双方を添加することを特徴とする請求項２０記載の安定化方法。
【請求項２２】
前記（ｉ）及び（ｉｉ）の少なくとも一方を含み、
さらに、下記（ｉｉｉ）を添加することを特徴とする請求項２０記載の安定化方法。
（ｉｉｉ）アミン塩基
【請求項２３】
前記（ｉｉｉ）が、２−アミノ−２−ヒドロキシメチル−１，３−プロパンジオール（ＡＨＰ）である請求項２２記載の安定化方法。
【発明の詳細な説明】
【技術分野】
【０００１】
本発明は、抜染剤、収容容器、インクジェット記録装置、抜染方法、画像形成方法、抜染剤の安定化剤、及び抜染剤の安定化方法に関する。
【背景技術】
【０００２】
布帛の抜染に用いる抜染剤として、還元剤であるロンガリットを含有する抜染剤が知られている（特許文献１）。この抜染剤によれば、酸化還元反応により布帛を抜染し、抜染箇所にカラーインクを用いて画像を形成することで、濃色地の布帛にカラー画像を形成することができる。
【先行技術文献】
【特許文献】
【０００３】
【特許文献１】特開昭６１−６３６５号公報
【発明の概要】
【発明が解決しようとする課題】
【０００４】
しかし、前述のロンガリットを含有する抜染剤は、例えば、１日未満で還元力が失われるため、調製後短期間のうちに使用する必要があった。また、前述のロンガリットを含有する抜染剤は、抜染力が弱く、カラーインクを用いても抜染箇所に適切な画像が形成されないこともあった。
【０００５】
そこで、本発明は、抜染力の向上及び長期にわたる保存安定化の少なくとも一方が可能な抜染剤を提供することを目的とする。
【課題を解決するための手段】
【０００６】
前記目的を達成するために、本発明の抜染剤は、
二酸化チオ尿素を含む抜染剤であって、
さらに、下記（ｉ）及び（ｉｉ）の少なくとも一方を含むことを特徴とする。
（ｉ）モノカルボン酸塩、アスコルビン酸塩及びメタ珪酸塩からなる群から選択される少なくとも一つの塩
（ｉｉ）β−ジケトン
【発明の効果】
【０００７】
本発明の抜染剤は、還元剤である二酸化チオ尿素と、前記（ｉ）及び（ｉｉ）の少なくとも一方を含むことで、抜染力の向上及び長期にわたる保存安定化の少なくとも一方が可能である。
【図面の簡単な説明】
【０００８】
【図１】図１（ａ）及び（ｂ）は、本発明の抜染方法における抜染剤の塗布例を示す図である。
【図２】図２は、インクジェット記録装置の構成の一例を示す概略図である。
【図３】図３は、前記インクジェット記録装置のインクジェットプリンタの構成の一例を示す正面図である。
【図４】図４（ａ）は、前記インクジェット記録装置のプラテンに布帛をセットした状態を示す平面図であり、図４（ｂ）は、図４（ａ）のＡ−Ａ方向から見た断面図である。
【図５】図５は、前記インクジェット記録装置の構成を示すブロック図である。
【図６】図６は、前記インクジェット記録装置の機能ブロック図である。
【発明を実施するための形態】
【０００９】
本発明の抜染剤は、布帛の抜染に用いられる。前記布帛としては、例えば、Ｔシャツ、水着、トレーナー等の衣類、バック、靴、スリッパ、靴下、ソファー等の家具、旗等の布製品等があげられる。前記布帛は、織物及び編物の双方を含む。前記布帛の材質は、抜染効果の観点から、例えば、天然繊維である。前記天然繊維としては、例えば、綿、絹等があげられる。前記布帛の材質は、複数種の前記繊維を混ぜて紡績された混紡であってもよい。なお、「抜染」とは、例えば、家庭等で通常行われる漂白とはそのプロセスと作用対象が異なる。具体的には、家庭等で行われる漂白は、薬剤に衣類を浸漬放置し、汚れそのものを酸化反応や還元反応によって化学的に分解するものである。これに対し、「抜染」とは、布帛、特に綿繊維を染色している染料分子へ直接作用してその分子を化学的に分解するものである。更に、「抜染」のプロセスは、例えば、薬剤に布帛を浸漬放置することに加えて、ヒートプレスと呼ばれるような装置を用いて１００℃以上に加熱する、といった高温水蒸気の存在下でのプロセスを含む。このような高温水蒸気の存在下では、例えば、主成分である二酸化チオ尿素（アミノイミノメタンスルフィン酸）が分解され、その結果、還元力を持ったスルホキシル酸が生成する。そして、このスルホキシル酸が染料分子へ作用する、という化学反応スキームが推測される。ただし、このメカニズムは推測であり、本発明はこの推測により限定及び制限されない。
【００１０】
前述のとおり、本発明の抜染剤は、二酸化チオ尿素を含む抜染剤であって、さらに、下記（ｉ）及び（ｉｉ）の少なくとも一方を含むことを特徴とする。
（ｉ）モノカルボン酸塩、アスコルビン酸塩及びメタ珪酸塩からなる群から選択される少なくとも一つの塩
（ｉｉ）β−ジケトン
【００１１】
本発明の抜染剤は、還元剤である二酸化チオ尿素と、前記（ｉ）及び（ｉｉ）の少なくとも一方とを併用したことで、例えば、長期にわたり保存可能である。また、本発明の抜染剤は、還元剤である二酸化チオ尿素と前記（ｉ）とを併用することで、例えば、抜染力が向上する。二酸化チオ尿素を用いた抜染では、反応中間体がカルボニル炭素の求核作用により安定化し、その中間体が時間をかけて分解されるため、実効のあるスルホキシル酸の収率が上がる。その結果として、抜染効果が上がると推測される。ただし、このメカニズムは推測であり、本発明はこの推測により限定及び制限されない。また、前述のロンガリットを含有する抜染剤は、ロンガリットの分解によりホルムアルデヒドを発生するという問題があった。ホルムアルデヒドは、極めて強い刺激臭をもち、その刺激臭により作業環境を悪化させたり、製品中に残存して臭気の原因となる場合がある。このため、作業環境によっては、ホルムアルデヒドを発生させることが好ましくない場合が考えられる。これに対し、本発明の抜染剤は、ロンガリットを用いる必要がないため、ホルムアルデヒドを発生させることがない。さらに、本発明の抜染剤によれば、例えば、インクジェット記録装置のインクジェットヘッドで吐出する場合において、インクジェットヘッドの腐食を抑制可能である。
【００１２】
本発明の抜染剤において、二酸化チオ尿素の配合量は、特に制限されず、前記抜染剤全量に対し、例えば、０．５重量％〜５重量％であり、好ましくは、１重量％〜５重量％であり、より好ましくは、２重量％〜５重量％である。
【００１３】
前記モノカルボン酸塩は、特に限定されないが、例えば、ギ酸塩、脂肪族カルボン酸塩及び脂肪族カルボン酸誘導体塩の少なくとも一方である。前記ギ酸塩としては、例えば、ギ酸ナトリウム、ギ酸カリウム等があげられる。前記脂肪族カルボン酸塩としては、例えば、酢酸ナトリウム、酢酸カリウム、酪酸ナトリウム、酪酸カリウム等があげられる。前記脂肪族カルボン酸誘導体塩としては、クロロ酢酸ナトリウム、クロロ酢酸カリウム、グリコール酸ナトリウム、グリコール酸カリウム、ピバル酸ナトリウム（トリメチル酸ナトリウム）、ピバル酸カリウム（トリメチル酸カリウム）等があげられる。
【００１４】
前記アスコルビン酸塩としては、例えば、アスコルビン酸ナトリウム、アスコルビン酸カリウム等があげられる。前記アスコルビン酸には、Ｌ体とＤ体が存在するが、いずれの塩を用いてもよく、両者の塩の混合物を用いてもよい。
【００１５】
前記メタ珪酸塩としては、例えば、メタ珪酸ナトリウム、メタ珪酸カリウム等があげられる。
【００１６】
前記（ｉ）は、１種類を単独で用いてもよく、２種類以上を併用してもよい。前記抜染剤において、前記（ｉ）の配合量は、特に制限されず、前記抜染剤全量に対し、例えば、０．５重量％〜１０重量％であり、好ましくは、２重量％〜１０重量％であり、より好ましくは、２重量％〜５重量％である。
【００１７】
前記「β−ジケトン」において「ケトン」とは、カルボニル化合物（アルデヒド、カルボン酸、エステル等）及びそれらの塩、イオン及び水和物の全てを含む。前記β−ジケトンは、特に制限されないが、例えば、アセチルアセトン、マロン酸ナトリウム（マロン酸一ナトリウム、マロン酸二ナトリウム）、マロン酸カリウム（マロン酸一カリウム、マロン酸二カリウム）、３−アセチル−γ−ブチルラクトン、デヒドロ酢酸、アセト酢酸メチル等があげられ、アセチルアセトン、マロン酸二ナトリウム、３−アセチル−γ−ブチルラクトン、デヒドロ酢酸、アセト酢酸メチル、Ｎ−メチルアセト酢酸アミドであることが好ましい。
【００１８】
前記β−ジケトンは、１種類を単独で用いてもよく、２種類以上を併用してもよい。前記抜染剤において、前記β−ジケトンの配合量は、特に制限されず、前記抜染剤全量に対し、例えば、１重量％〜１５重量％であり、好ましくは、２重量％〜１５重量％である。
【００１９】
本発明の抜染剤は、さらに、アセトン又はアセトン誘導体を含んでもよい。前記アセトン誘導体としては、例えば、下記化学式に示す化合物があげられ、前記化学式において、Ｒ１、Ｒ２は、アルキル基又は水素である。前記アルキル基としては、特に限定されず、例えば、炭素数が１から２０のアルキル基が挙げられる。また、前記アルキル基は、例えば、直鎖状であってもよいし、枝分かれがあってもよい。具体的な前記アルキル基としては、例えば、メチル基、エチル基、ｎ−プロピル基、イソプロピル基、ｎ−ブチル基、イソブチル基、ｓｅｃ−ブチル基およびｔｅｒｔ−ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基等が挙げられる。下記化学式で示す化合物としては、例えば、２−ヒドロキシ−２−メチル−４−ペンタノン等があげられる。前記アセトン又はアセトン誘導体の配合量は、特に制限されず、前記抜染剤全量に対し、例えば、１重量％〜１０重量％であり、好ましくは、２重量％〜１０重量％である。
2014208928.tif 000002
【００２０】
本発明の抜染剤は、さらに、（ｉｉｉ）アミン塩基を含んでも良い。前記アミン塩基は、例えば、一級アミンがあげられ、アミノ基を一つ有してもよいし、複数有しても良い。前記一級アミンは、例えば、アミノアルコール、グアニジン塩もしくはグアニジン誘導体、Ｎ,Ｎ'-ビス(２-アミノエチル)-１,２-エタンジアミン等があげられる。前記アミノアルコールの具体例としては、例えば、２−アミノ−２−ヒドロキシメチル−１，３−プロパンジオール（ＡＨＰ）、２−アミノ−２−メチル−１−プロパノール（ＡＭＰ）、２−アミノ−２−エチル−１，３−プロパンジオール（ＡＥＰ）、２−（２−アミノエトキシ）エタノール（ＡＥＥ）等が挙げられる。前記グアニジン塩としては、例えば、グアニジン炭酸塩等が挙げられ、前記グアニジン誘導体としては、アミノグアニジン硫酸塩等が挙げられる。前記（ｉｉｉ）アミン塩基の配合量は、特に制限されず、前記抜染剤全量に対し、例えば、１重量％〜１０重量％であり、好ましくは、２重量％〜１０重量％である。前記抜染剤に前記アミン塩基を含有させることにより、本発明の抜染剤は、例えば、調製してから１月後（２８日後）であっても長期にわたる安定化が可能となる。
【００２１】
本発明の抜染剤は、さらに、水を含んでもよい。前記水は、例えば、イオン交換水又は純水である。前記抜染剤全量に対する前記水の配合量は、例えば、他の成分の残部としてもよい。
【００２２】
本発明の抜染剤は、さらに、水溶性有機溶剤を含んでもよい。前記水溶性有機溶剤としては、従来公知のものを使用することができる。前記水溶性有機溶剤としては、例えば、多価アルコール、多価アルコール誘導体、アルコール、アミド、ケトアルコール、エーテル、含窒素溶剤、含硫黄溶剤、炭酸プロピレン、炭酸エチレン、１，３−ジメチル−２−イミダゾリジノン等があげられる。前記多価アルコールとしては、例えば、グリセリン（Ｇｌｙ）、エチレングリコール、ジエチレングリコール（ＤＥＧ）、プロピレングリコール、ブチレングリコール、へキシレングリコール、トリエチレングリコール、ポリエチレングリコール、ジプロピレングリコール、トリプロピレングリコール、ポリプロピレングリコール、トリメチロールプロパン、１，５−ペンタンジオール、１，２，６−ヘキサントリオール等があげられる。前記多価アルコール誘導体としては、例えば、エチレングリコールメチルエーテル、エチレングリコールエチルエーテル、エチレングリコール−ｎ−プロピルエーテル、エチレングリコール−ｎ−ブチルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等があげられる。前記アルコールとしては、例えば、メチルアルコール、エチルアルコール、ｎ−プロピルアルコール、イソプロピルアルコール、ｎ−ブチルアルコール、ｓｅｃ−ブチルアルコール、イソブチルアルコール、ｔｅｒｔ−ブチルアルコール、ベンジルアルコール等があげられる。前記アミドとしては、例えば、ジメチルホルムアミド、ジメチルアセトアミド等があげられる。前記ケトアルコールとしては、例えば、ジアセトンアルコール等があげられる。前記エーテルとしては、例えば、テトラヒドロフラン、ジオキサン等があげられる。前記含窒素溶剤としては、例えば、ピロリドン、２−ピロリドン、Ｎ−メチル−２−ピロリドン、シクロへキシルピロリドン、トリエタノールアミン等があげられる。前記含硫黄溶剤としては、例えば、チオジエタノール、チオジグリコール、チオジグリセロール、スルホラン、ジメチルスルホキシド等があげられる。前記抜染剤全量に対する前記水溶性有機溶剤の配合量は、例えば、０．５重量％〜３０重量％であり、好ましくは、５重量％〜３０重量％であり、より好ましくは、１０重量％〜２０重量％である。前記水溶性有機溶剤は、１種類を単独で用いてもよく、２種類以上を併用してもよい。
【００２３】
前記水溶性有機溶剤は、例えば、高沸点溶剤であるＧｌｙ及びＤＥＧの少なくとも一方であり、例えば、Ｇｌｙである。前記抜染剤全量に対する前記高沸点溶剤の配合量は、例えば、０．５重量％〜３０重量％であり、例えば、５重量％〜３０重量％であり、好ましくは、１０重量％〜２０重量％である。
【００２４】
本発明の抜染剤は、必要に応じて、さらに、従来公知の添加剤を含んでもよい。前記添加剤としては、例えば、界面活性剤、粘度調整剤、表面張力調整剤、酸化防止剤、防黴剤等があげられる。前記粘度調整剤は、例えば、ポリビニルアルコール、セルロース、水溶性樹脂等があげられる。
【００２５】
本発明の抜染剤は、例えば、二酸化チオ尿素及び前記（ｉ）及び（ｉｉ）の少なくとも一方以外の成分を先に混合しておき、そこに二酸化チオ尿素及び前記（ｉ）及び（ｉｉ）の少なくとも一方を添加することにより調製できる。
【００２６】
つぎに、本発明の収容容器について説明する。前記収容容器は、本発明の抜染剤を含むことを特徴とする。前記収容容器の本体としては、例えば、後述の図３に示すインクジェットプリンタ１におけるインクタンク２０と同様のもの等の従来公知のものを使用できる。例えば、収容容器の本体として、樹脂製の筐体を有するインクカートリッジや、可とう性を有するフィルムで形成されたインクパックなどを用いることができる。仮に、可とう性を有するインクパックに前記抜染剤を入れたときに衝撃が生じてしまうと化学反応が進み、抜染機能低下が懸念される場合には、筐体を有する収容容器を用いることができる。この場合、前記抜染剤は、筐体に直接に入れられてもよい。また、前記抜染剤は、筐体内部に配置された可とう性を有するインクパックに入れられてもよい。さらには、前記抜染剤は、可とう性を有する材質で形成されたインクパックと筐体壁の間隙に入れられていてもよい。その他、前記収容容器には、前記抜染剤のうち、固体のみ入れておいて後から液体と混合させるなどしてもよい。
【００２７】
つぎに、本発明のインクジェット記録装置について説明する。前記インクジェット記録装置は、液体を吐出する液体吐出手段を有するインクジェット記録装置であって、さらに、本発明の抜染剤を塗布する手段を含むことを特徴とする。前記液体としては、インクジェット記録用インク、インクジェット記録に用いる処理液等があげられる。前記インクジェット記録装置は、さらに、収容容器を収容する収容部を有し、前記収容部に収容された前記収容容器内部の液体を前記液体吐出手段によって吐出する構成であってもよい。このような構成の装置としては、例えば、後述の図２に示すインクジェット記録装置に、前記抜染剤を塗布する手段を追加した構成があげられる。前記抜染剤を塗布する手段としては、例えば、インクジェットヘッド、スプレー、前記抜染剤を前記布帛に塗布するスタンプ、刷毛、ローラ等があげられる。本実施形態では、前記抜染剤を塗布（吐出）する手段として、図３に示すインクジェットヘッド５を備えている。前記インクジェット記録装置は、さらに、前記抜染剤を収容する抜染剤収容部を含んでもよい。
【００２８】
つぎに、本発明の抜染方法について説明する。前記抜染方法は、布帛の抜染方法であって、前記布帛に前記抜染剤を塗布する抜染剤塗布工程と、前記抜染剤の塗布部を加熱する加熱工程とを含むことを特徴とする。
【００２９】
前記抜染剤塗布工程において、前記抜染剤の塗布は、例えば、インクジェットヘッドを用いて塗布（吐出）するインクジェット方式、スプレー方式、スタンプ塗布、刷毛塗り、ローラ塗布等の方法により実施できる。前記抜染方法では、二酸化チオ尿素及び前記（ｉ）及び（ｉｉ）の少なくとも一方を併用した前記抜染剤を用いているため、前記抜染剤をインクジェット方式で塗布（吐出）する場合において、インクジェットヘッドの腐食を抑制可能である。
【００３０】
前記抜染剤塗布工程において、前記抜染剤の塗布は、前記布帛の画像形成面の全面でもよいし、一部でもよい。一部に塗布する場合、前記布帛の画像形成面の少なくともインクによる印刷部分と概ね同じ領域が塗布部になる。一部に塗布する場合、塗布部の大きさは、印刷部分よりも大きい方がよい。例えば、図１（ａ）に示すように、布帛（本例では、Ｔシャツ）１００に対し、文字（Ｘ）を印刷する場合は、前記文字の線幅よりも大きな線幅で塗布部１１０を形成するように抜染剤を塗布する。また、例えば、図１（ｂ）に示すように、布帛（Ｔシャツ）１００に対し、図柄を印刷する場合は、例えば、前記図柄よりも大きな塗布部１２０を形成するように抜染剤を塗布する。
【００３１】
つぎに、前記加熱工程は、前記抜染剤の塗布部を加熱する工程である。前記加熱は、例えば、市販のアイロン、ホットプレス機、オーブン、ベルトコンベアオーブン等を用いて実施できる。アイロン、ホットプレス機を用いる場合には、例えば、前記抜染剤の塗布部上に、表面が平滑なテフロン（登録商標）シートを置いた状態で加熱を行う。これにより、前記布帛のケバを抑えることができ、例えば、前記抜染方法を後述の画像形成方法に用いる場合において、画像の印刷をよりスムースに実施可能となる。前記加熱温度は、特に制限されないが、例えば、１６０℃〜１８５℃の範囲である。前記抜染方法では、二酸化チオ尿素及び前記（ｉ）及び（ｉｉ）の少なくとも一方を併用した前記抜染剤を用いているため、長期間保存後、例えば、１か月程経過した前記抜染剤を使用する場合においても布帛を抜染することが可能であり、ホルムアルデヒドが発生することもない。
【００３２】
つぎに、本発明の画像形成方法について説明する。前記画像形成方法は、布帛に画像を形成する画像形成方法であって、前記布帛を抜染する抜染工程と、前記抜染した箇所にインクを用いて画像を印刷する画像印刷工程とを含み、前記抜染工程を、本発明の抜染方法により実施することを特徴とする。
【００３３】
前記画像形成方法は、例えば、前記２つの工程以外に、後述の熱定着工程等の工程を有してもよい。
【００３４】
前記抜染工程については、前記抜染方法で説明したとおりである。
【００３５】
つぎに、前記画像印刷工程は、前記抜染した箇所、又は前記抜染剤を塗布した箇所にインクを用いて画像を印刷する工程である。なお、前記抜染剤を塗布した箇所にインクを用いて画像を印刷する場合には、インクを用いて画像を印刷した後に、前述の抜染方法における加熱工程を行ってもよい。前記画像印刷工程に使用される前記インクとしては、特に限定されず、例えば、顔料インク、染料インク等を使用でき、顔料インクを使用する。
【００３６】
前記画像印刷工程は、例えば、図２に示すインクジェット記録装置を用いて実施できる。本例のインクジェット記録装置では、前記画像印刷工程を、インクジェット方式により実施する。図示のとおり、このインクジェット記録装置は、布帛にインクを吐出して所望画像を印刷するインクジェットプリンタ１と、前記所望画像の画像データを取得し、且つ、前記インクジェットプリンタ１を制御する印刷制御装置７０とがインターフェースを介して接続されて構成されている。
【００３７】
前記インクジェットプリンタ１は、図３に示すように、枠体状のフレーム２を備えている。前記フレーム２は、前記プリンタ１の底部に位置する水平部２ｈと、前記水平部２ｈの両端から垂直に立ち上がる２つの垂直部２ｖとを有している。なお、図３において、図２と同一部分には同一符号を付しており、図４以降の図面においても同様である。
【００３８】
２つの前記垂直部２ｖの上部同士を連結するように、スライドレール３が水平に支架されている。前記スライドレール３には、キャリッジ４が、前記スライドレール３の長手方向（主走査方向）に沿って摺動自在に備えられている。このキャリッジ４の下面には、５色のインクを吐出させるために色毎に配設された５個の圧電式のインクジェットヘッド（液体吐出手段）５が設けられている。前記インクジェットプリンタ１は、例えば、インクジェットヘッドを８個設けた構成であってもよい。具体的には、インクジェットヘッドを４個ずつキャリッジの移動方向に配列したものを１つのヘッドユニットとして、２つのヘッドユニットがそれぞれキャリッジの移動方向に直交する方向に対向して配置されるようにしてもよい。この場合、１つのヘッドユニットには、４色のカラーインク（シアン、マゼンタ、イエロー、ブラック）をそれぞれ吐出する４個のインクジェットヘッドが設けられ、もう１つのヘッドユニットには、ホワイトインクを吐出する２個のインクジェットヘッドと抜染剤を吐出する２個のインクジェットヘッドが設けられる。
【００３９】
２つの前記垂直部２ｖの上部には、それぞれ、プーリ６、７が支持され、一方のプーリ６には、前記垂直部２ｖによって支持されるモータ８のモータ軸が連結されている。両プーリ６、７の間には無端ベルト９が架け渡されており、前記キャリッジ４は、この無端ベルト９の適宜の部分に固定される。
【００４０】
このような構成により、一方のプーリ６が、前記モータ８の駆動により正逆回転されると、それに伴って前記キャリッジ４が前記スライドレール３の長手方向（主走査方向）に沿って直線往復駆動され、この結果、前記インクジェットヘッド５の往復移動が行われる。
【００４１】
２つの前記垂直部２ｖには、それぞれ、インクタンク２０を着脱可能に搭載する搭載部１０が形成されている。２つの前記搭載部１０は、一方が２色の、他方が３色のインクタンク２０を装着できるようになっており、このインクタンク２０の内部に形成されているインク袋（図示せず）が可撓性チューブ２８によって、前記インクジェットヘッド５のそれぞれの上部に位置する５つのサブタンク３０と接続される。なお、５つの前記サブタンク３０は、後述するように前記インクジェットヘッド５とそれぞれ連通しているため、前記インクタンク２０から前記インクジェットヘッド５へとインクが供給される。
【００４２】
前記フレーム２の前記水平部２ｈの上には、スライド機構１１が設置され、このスライド機構１１の上にプラテン（支持体）１２が支持される。このプラテン１２には、布帛を、その印刷部分が上面に来るように位置決めして、且つ、ピンと張った皺のない平坦な状態でセットできるように固定フレーム（固定手段）１５が設けられている。なお、本例のインクジェットプリンタ１は、縫製済みＴシャツにインクジェット記録を行うものであるが、布帛全般に適用することができる。また、本例のインクジェットプリンタ１では、前記プラテン１２の数は、１つである。ただし、前記プラテンの数は１つに限定されず、必要に応じて増やすことができる。例えば、前記プラテンを２つ有するインクジェットプリンタを用いれば、一方のプラテンに固定したＴシャツに画像を印刷している間に、他方のプラテンへのＴシャツの固定作業を行うことができ、作業効率を高めることができる。
【００４３】
また、前記プラテン１２を図３の紙面垂直方向（スライド機構１１におけるスライド方向であって、前記インクジェットプリンタ１の副走査方向）に往復移動させるために、プラテン搬送機構が配設されている（図示せず）。前記プラテン搬送機構には、例えば、ラック、ピニオン機構や、無端ベルトを用いた機構等を適用できる。
【００４４】
図４に、プラテンに布帛をセットした状態を示す。図４（ａ）は、平面図であり、図４（ｂ）は、図４（ａ）のＡ−Ａ方向から見た断面図である。図示のように、前記プラテン１２は、平面視で前記キャリッジ４の往復移動方向と直交する方向に長手方向を有する長方形状とされるとともに、Ｔシャツ１００を支持する支持面１６を有している。また、図４（ｂ）の紙面垂直方向奥側の前記プラテン１２の下面は、それと対向する位置のスライド機構１１と支持部材１７とによって連結されている。また、前記プラテン１２の長手方向に平行な両端上部が円弧形状とされている。
【００４５】
また、前記固定フレーム１５は、Ｌ字形状の断面を有するフレームが前記プラテン１２の支持面１６の４辺を覆うように構成されている。前記固定フレーム１５の前記プラテン１２の支持面１６と対向する面には、前記プラテン１２の支持面１６の面積より若干小さい開口面積を有する開口部１５ａが形成されている。また、前記プラテン１２の側面と対向する前記固定フレーム１５の内面には、ゴム製の滑り止め部材１９が設けられている。この滑り止め部材１９が設けられていることで、前記プラテン１２に前記Ｔシャツ１００をセットした場合において、前記プラテン１２の支持面１６の長手方向（前記Ｔシャツ１００の縦方向）と短手方向（前記Ｔシャツ１００の横方向）の２方向に前記Ｔシャツ１００を引き伸ばした状態でセットすることが可能となり、前記Ｔシャツ１００を皺のない状態で保持することができる。なお、前記プラテン１２に前記Ｔシャツ１００をセットする際は、前記Ｔシャツ１００の裾側から前記プラテン１２の支持面１６を覆うようにして被せ、前記固定フレーム１５で固定する。また、前記固定フレーム１５は、前記プラテン１２の図４（ｂ）の紙面垂直方向奥側の端部に設けられた回動部（図示せず）によって回動可能に設けられており、前記Ｔシャツ１００を前記プラテン１２に被せた後に前記固定フレーム１５を前記プラテン１２に嵌合するように回動させて、前記Ｔシャツ１００を前記プラテン１２と前記固定フレーム１５とで挟むようにして固定している。
【００４６】
また、前記インクジェットプリンタ１は、カバー１３を備えており、前記インクジェットヘッド５や前記スライド機構１１等を覆って保護できるようになっている。なお、図３においては、前記カバー１３の内部の様子を詳細に示すために、前記カバー１３を二点鎖線で描いて透視的に図示している。前記カバー１３の前面の右上部には、液晶パネルや操作ボタンを備える操作パネル１４が配設されている。
【００４７】
図３に示す５つのインクジェットヘッド５は、５色のインク（ホワイト、イエロー、マゼンタ、シアン、ブラック）に対応して、前記キャリッジ４の往復移動方向に沿って並設されており、それぞれに対応した前記インクタンク２０と、前記可撓性チューブ２８及び前記サブタンク３０を介して連通されている。インクジェットヘッドにインクを供給するための構成としては、例えば、従来公知のものを使用できる（例えば、特開２００４−２９１４６１号公報参照）。
【００４８】
このように、前記インクタンク２０と前記サブタンク３０とを前記可撓性チューブ２８で連結することで、前記インクタンク２０内のインクを前記サブタンク３０に供給することができるとともに、前記インクタンク２０を取り換えやすい位置に設けることが可能となる。このため、前記インクタンク２０内のインクが無くなった場合に簡単に前記インクタンク２０を交換することができる。
【００４９】
前記インクジェットヘッド５は、その下面が前記プラテン１２の支持面１６との間にわずかな隙間を形成するように配置されており、前記Ｔシャツ１００に画像を印刷する際に前記プラテン１２にセットされた前記Ｔシャツ１００の印刷部分がその隙間に搬送される。この構成で、前記インクジェットヘッド５が前記キャリッジ４によって往復移動されつつ前記Ｔシャツ１００上に前記インクジェットヘッド５の底面に多数並べて形成された微小径の吐出ノズルから各色のインクを吐出することで、所望のカラー画像を前記Ｔシャツ１００に印刷できるようになっている。
【００５０】
図２に示す印刷制御装置７０は、例えば、汎用のパーソナルコンピュータ（ＰＣ）を用いて構成され、本体７１と、表示部７２としてのディスプレイと、操作部７５としてのキーボード７３及びマウス（ポインティングデバイス）７４とを備えている。
【００５１】
図５は、図２に示す印刷制御装置７０の構成を示したブロック図である。前記印刷制御装置７０は、ＣＰＵ（Ｃｅｎｔｒａｌ  Ｐｒｏｃｅｓｓｉｎｇ  Ｕｎｉｔ）８１、ＲＯＭ（Ｒｅａｄ  Ｏｎｌｙ  Ｍｅｍｏｒｙ）８２、ＲＡＭ（Ｒａｎｄｏｍ  Ａｃｃｅｓｓ  Ｍｅｍｏｒｙ）８３、ＨＤ（Ｈａｒｄ  Ｄｉｓｋ）８４、操作部７５、表示部７２、インターフェース（Ｉ／Ｆ）８５を備えており、これらは、バスを介して相互に接続されている。前記ＣＰＵ８１、前記ＲＯＭ８２、前記ＲＡＭ８３及び前記ＨＤ８４は、前記印刷制御装置７０の本体７１内に組み込まれており、前記操作部７５は、前記キーボード７３及び前記マウス７４によって構成されている。
【００５２】
前記ＨＤ８４には、前記印刷制御装置７０の動作を制御するために用いられる各種プログラムが格納されている。また、前記ＨＤ８４には、ソフトウェアによって作成された種々の画像データやＴシャツ等の布帛の種類毎の各種データが格納されている。前記ＣＰＵ８１は、前記操作部７５によって入力された信号や、前記ＲＯＭ８２、前記ＲＡＭ８３及び前記ＨＤ８４内の各種プログラムやデータに基づいて各種演算や処理を行う。そして、前記インターフェース８５を介して、前記インクジェットプリンタ１にデータ等を送信する。前記ＲＡＭ８３は、読み出し・書き込み可能な揮発性記憶装置であって、前記ＣＰＵ８１での各種演算結果等が記憶される。前記インターフェース８５は、前記インクジェットプリンタ１のインターフェースと接続されており、前記印刷制御装置７０と前記インクジェットプリンタ１との間の通信を可能にするものである。
【００５３】
図６は、前記印刷制御装置７０の機能ブロック図である。図示のように、前記印刷制御装置７０は、画像データ取得部９０と、画像データ記憶部９１とを備えている。本例では、前記画像データ取得部９０は、前記ＣＰＵ８１によって実現され、前記画像データ記憶部９１は、前記ＲＡＭ８３又は前記ＨＤ８４によって構成される。
【００５４】
前記画像データ取得部９０は、画像データを作成するための周知の機能を備えたものであり、オペレータが前記キーボード７３や前記マウス７４を通じて入力した信号に基づいて、種々の画像データを作成する。前記画像データ記憶部９１は、ＣＤ−ＲＯＭ、ＦＤ、ＭＯ等のリムーバル型記憶媒体やインターネット等から収集した画像データや前記画像データ取得部９０により取得された画像データを記憶する。
【００５５】
本例のインクジェット記録装置を用いた前記Ｔシャツ１００への所望画像の印刷は、例えば、つぎのようにして実施できる。まず、前記ＰＣのキーボード７３及びマウス７４を通じて、前記Ｔシャツ１００に印刷したい画像データを取得する。前記画像データの取得においては、前記ＰＣにインストールされたソフトウェアを使用して画像データを作成するか、予め前記ＨＤ８４に記憶された画像データを選択する。
【００５６】
つぎに、前記Ｔシャツ１００を、前記プラテン１２に固定する。すなわち、前記Ｔシャツ１００を、前記プラテン１２に裾から被せ、前記プラテン１２の支持面１６に沿わせて皺のない状態にしつつ前記固定フレーム１５で固定する。
【００５７】
ついで、オペレータが印刷の実施を指示すると、前記画像データが前記インクジェットプリンタ１に前記インターフェース８５を介して送信され、前記画像データに基づいて前記インクジェットヘッド５からインクが吐出されて、前記プラテン１２に固定された前記Ｔシャツ１００への印刷が実施される。
【００５８】
前記インクジェット記録装置は、さらに、加熱手段を含んでもよい。前記加熱手段は、前記インクジェット記録装置内で後述の熱定着工程を実施できるものであればいかなる手段であってもよい。前記加熱手段は、例えば、ホットプレス手段等の布帛の前記印刷部分に加熱と共に加圧を施すことができる手段である。なお、前記加熱手段とは別に、加圧手段を設けてもよい。前記加熱及び前記加圧は、いずれを先におこなってもよく、両者を同時に行ってもよい。また、後述のように、インクジェット記録装置とは別の加熱手段や加圧手段を有する装置によって、熱定着工程が実施されてもよい。
【００５９】
前記インクジェット記録装置は、ホワイトインク用のインクタンク及びインクジェットヘッドを有しなくともよい。前記画像形成方法では、抜染後の布帛に画像を印刷するため、ホワイトインクによりベース層を形成せずとも、濃色地の布帛にカラー画像を形成可能である。
【００６０】
本例では、前記画像印刷工程をインクジェット方式により実施するが、前記画像印刷工程は、従来公知の装置又は手段を用いて、スクリーン印刷、グラビア印刷、ステンシル等により実施してもよい。
【００６１】
つぎに、前記画像形成方法は、前記画像印刷工程後、布帛の前記印刷部分に熱処理を施すことで、前記インクを前記布帛に熱定着させる熱定着工程を有してもよい。前記熱定着工程は、前記抜染方法の加熱工程と同様の装置、条件にて実施できる。また、前記熱定着工程は、例えば、特開２００９−２０９４９３号公報に記載の装置を用いて実施することもできる。この装置によれば、布帛に対して１８０℃の加熱と共に加圧を施すことができる。
【００６２】
つぎに、本発明の抜染剤の安定化剤について説明する。前記抜染剤の安定化剤は、二酸化チオ尿素を含む抜染剤の安定化剤であって、前記抜染剤に、下記（ｉ）及び（ｉｉ）の少なくとも一方を含むことを特徴とする。前記抜染剤の安定化剤において、前記（ｉ）及び（ｉｉ）の少なくとも一方の種類及び配合量等の条件は、前述の抜染剤と同様とすればよい。
（ｉ）モノカルボン酸塩、アスコルビン酸塩及びメタ珪酸塩からなる群から選択される少なくとも一つの塩
（ｉｉ）β−ジケトン
【００６３】
つぎに、本発明の抜染剤の安定化方法について説明する。前記抜染剤の安定化方法は、二酸化チオ尿素を含む抜染剤の安定化方法であって、前記抜染剤に、下記（ｉ）及び（ｉｉ）の少なくとも一方を添加することを特徴とする。前記抜染剤の安定化方法において、前記（ｉ）及び（ｉｉ）の少なくとも一方の種類及び配合量等の条件は、前述の抜染剤と同様とすればよい。
（ｉ）モノカルボン酸塩、アスコルビン酸塩及びメタ珪酸塩からなる群から選択される少なくとも一つの塩
（ｉｉ）β−ジケトン
【実施例】
【００６４】
つぎに、実施例について比較例とあわせて説明する。なお、本発明は、下記の実施例及び比較例により限定及び制限されない。
【００６５】
［実施例１−１〜１−１７及び比較例１−１〜１−１０］
実施例１−１〜１−１７及び比較例１−１〜１−１０は、二酸化チオ尿素及び前記（ｉ）を含む抜染剤の例である。抜染剤組成（表１又は表２）における、二酸化チオ尿素及び塩を除く成分を混合し、そこに二酸化チオ尿素及び塩を添加することで、実施例１−１〜１−１７及び比較例１−１〜１−１０の抜染剤を得た。
【００６６】
実施例１−１〜１−１７及び比較例１−１〜１−１０の抜染剤の保存安定性を、つぎの方法で評価した。すなわち、まず、調製直後、２４時間後及び７２時間後の実施例１−１〜１−１７及び比較例１−１〜１−１０の抜染剤を、１時間以内に５ｃｍ四方にくり抜いたシートをおいたＴシャツ（Ｈａｎｅｓ社製の商品名：ＢＥＥＦＹ（黒））にスプレー方式で７回噴霧した。ついで、前記抜染剤の塗布部上に、表面が平滑なテフロン（登録商標）シートを置いた状態で、前記塗布部を、アイロンを動かしながら加熱した。つぎに、前記Ｔシャツを洗濯機で通常洗濯（洗剤あり）した後、日陰で自然乾燥させた。前記Ｔシャツの抜染度合を、塩を添加しなかった調製直後の抜染剤をリファレンスとして、下記評価基準に従って評価した。
【００６７】
抜染剤の保存安定性評価  評価基準
ＡＡ：リファレンスよりもかなり色が抜けていた
Ａ  ：リファレンスよりも色が抜けていた
Ｂ  ：リファレンスよりも色が抜けていたが、変色が見られた
Ｃ  ：色の抜けがリファレンスと同等かそれ以下であった
【００６８】
実施例１−１〜１−１７の抜染剤の組成及び評価結果を、表１に示す。また、比較例１−１〜１−１０の抜染剤の組成及び評価結果を、表２に示す。
【００６９】
【表１】
2014208928.tif 000003
【００７０】
【表２】
2014208928.tif 000004
【００７１】
表１に示すとおり、実施例１−１〜１−１７では、抜染剤の調製から７２時間後においても、リファレンスよりも色が抜けていた。一方、表２に示すとおり、前記特定の塩を用いなかった比較例１−１では、抜染剤の調製から２４時間後には色抜けがリファレンスと同等以下となり、前記特定の塩に代えて、アミノ酸等の前記特定の塩以外の化合物を用いた比較例１−２〜１−１０でも、抜染剤の調製直後又は７２時間後において色抜けがリファレンスと同等以下となった。前述のとおり、二酸化チオ尿素を用いた抜染では、反応中間体がカルボニル炭素の求核作用により安定化するために、実効のあるスルホキシル酸の収率が上がる。その結果として、抜染効果が上がったものと推測される。
【００７２】
［実施例１−１８〜１−２７］
実施例１−１８〜１−２７も、二酸化チオ尿素及び前記（ｉ）を含む抜染剤の例である。抜染剤組成（表３）における、二酸化チオ尿素及び塩を除く成分を混合し、そこに二酸化チオ尿素及び塩を添加することで、実施例１−１８〜１−２７の抜染剤を得た。
【００７３】
実施例１−１８〜１−２７の抜染剤の保存安定性を、つぎの方法で評価した。すなわち、まず、調製直後、２日後、７日後及び１４日後の実施例１−１８〜１−２７の抜染剤を、１時間以内に５ｃｍ四方にくり抜いたシートをおいたＴシャツ（Ｈａｎｅｓ社製の商品名：ＢＥＥＦＹ（黒））にスプレー方式で７回噴霧した。ついで、前記抜染剤の塗布部上に、表面が平滑なテフロン（登録商標）シートを置いた状態で、前記塗布部をアイロンを動かしながら加熱した。つぎに、前記Ｔシャツを洗濯機で通常洗濯（洗剤あり）した後、日陰で自然乾燥させた。前記Ｔシャツの抜染度合を、Ｘ−Ｒｉｔｅ社製の分光測色計ＳｐｅｃｔｒｏＥｙｅ（光源：Ｄ６５／１０）を用いて測定した光学濃度（ＯＤ値）により評価した。ＯＤ値が低くなるほど、色が抜けていることを表す。なお、抜染前の前記ＴシャツのＯＤ値は、１．７であった。
【００７４】
実施例１−１８〜１−２７の抜染剤の組成及び評価結果を、表３に示す。
【００７５】
【表３】
2014208928.tif 000005
【００７６】
表３に示すとおり、高沸点溶剤であるＧｌｙを用いた実施例１−１８〜１−２７では、抜染剤の調製から１４日後において、ＯＤ値が抜染前の１．７から０．１以上低下し、目視にて差異を確認できるほど色が抜けていた。
【００７７】
［実施例２−１〜２−７］
実施例２−１〜２−７は、二酸化チオ尿素及び前記（ｉｉ）を含む抜染剤の例である。
抜染剤組成（表１）における、二酸化チオ尿素及びβ−ジケトンを除く成分を混合し、
そこに二酸化チオ尿素及びβ−ジケトンを添加することで、実施例２−１〜２−７の抜染剤を得た。
【００７８】
実施例２−１〜２−７の抜染剤の保存安定性を、実施例１−１８〜１−２７と同様にして評価した。
【００７９】
実施例２−１〜２−７の抜染剤の組成及び評価結果を、表４に示す。
【００８０】
【表４】
2014208928.tif 000006
【００８１】
表４に示すとおり、実施例２−１〜２−７では、抜染剤の調製から１４日後において、ＯＤ値が抜染前の１．７から大幅に低下し、かなり色が抜けていた。前述のとおり、二酸化チオ尿素を用いた抜染では、反応中間体がカルボニル炭素の求核作用により安定化し、その中間体が時間をかけて分解されるため、実効のあるスルホキシル酸の滞留時間が長くなる。その結果として、抜染効果が上がったものと推測される。
【００８２】
［実施例２−８〜２−１０及び比較例２−１〜２−２］
実施例２−８〜２−１０及び比較例２−１〜２−２も、二酸化チオ尿素及び前記（ｉｉ）を含む抜染剤の例である。抜染剤組成（表５）における、二酸化チオ尿素及びβ−ジケトン（比較例２−２においては、２−ヒドロキシ−２−メチル−４−ペンタノン）を除く成分を混合し、そこに二酸化チオ尿素及びβ−ジケトンを添加することで、実施例２−８〜２−１０及び比較例２−１〜２−２の抜染剤を得た。
【００８３】
実施例２−８〜２−１０及び比較例２−１〜２−２の抜染剤の保存安定性を、２日後に代えて２８日後にＯＤ値の測定を行ったこと以外、実施例１−１８〜１−２７と同様にして、評価した。
【００８４】
実施例２−８〜２−１０及び比較例２−１〜２−２の抜染剤の組成及び評価結果を、表５に示す。
【００８５】
【表５】
2014208928.tif 000007
【００８６】
表５に示すとおり、実施例２−８〜２−１０では、抜染剤の調製から２８日後において、ＯＤ値が抜染前の１．７から大幅に低下し、かなり色が抜けていた。一方、β−ジケトンを用いなかった比較例２−１、及びβ−ジケトンに代えて、２−ヒドロキシ−２−メチル−４−ペンタノンを用いた比較例２−２では、染剤の調製から２８日後において、ＯＤ値が抜染前の１．７に近くなった。
【００８７】
［実施例３−１〜３−３］
実施例３−１〜３−３は、二酸化チオ尿素、前記（ｉ）及び（ｉｉ）を含む抜染剤の例である。抜染剤組成（表６）における、二酸化チオ尿素、ギ酸ナトリウム及びアセチルアセトンを除く成分を混合し、そこに二酸化チオ尿素、ギ酸ナトリウム及びアセチルアセトンを添加することで、実施例３−１〜３−３の抜染剤を得た。
【００８８】
実施例３−１〜３−３の抜染剤の保存安定性を、実施例１−１８〜１−２７と同様にして評価した。
【００８９】
実施例３−１〜３−３の抜染剤の組成及び評価結果を、表６に示す。
【００９０】
【表６】
2014208928.tif 000008
【００９１】
表６に示すとおり、実施例３−１〜３−３では、抜染剤の調製から１４日後において、ＯＤ値が抜染前の１．７から大幅に低下し、かなり色が抜けていた。前述のとおり、二酸化チオ尿素を用いた抜染では、反応中間体がカルボニル炭素の求核作用により安定化し、その中間体が時間をかけて分解されるため、実効のあるスルホキシル酸の収率が上がり、滞留時間が長くなる。その結果として、抜染効果が上がったものと推測される。
【００９２】
［実施例４−１〜４−３］
実施例４−１〜４−３は、二酸化チオ尿素、β‐ジケトン（前記（ｉｉ））、及びアミン塩基（前記（ｉｉｉ））を含む抜染剤の例である。実施例４−２は、さらに、β−ジケトンを、実施例４−３では、さらに、ケトンを含む。抜染剤組成（表７）における、二酸化チオ尿素、マロン酸二ナトリウム（前記（ｉ））、２−アミノ−２−ヒドロキシメチル−１，３−プロパンジロール（ＡＨＰ、アミン塩基（前記（ｉｉｉ）））を水に完全に溶解させた。その後、表７に示すように、実施例４−２では、Ｎ−メチルアセト酢酸アミドを、実施例４−３では、２−ヒドロキシ−２−メチル−４−ペンタノンをそれぞれ添加した。これにより、実施例４−１〜４−３の抜染剤を得た。
【００９３】
実施例４−１〜４−３の抜染剤の保存安定性を、つぎの方法で評価した。すなわち、まず、調製直後、０．５月後、１月後、２月後、及び３月後の実施例４−１〜４−３の抜染剤を、５ｃｍ四方にくり抜いたシートをおいたＴシャツ（Ｈａｎｅｓ社製の商品名：ＢＥＥＦＹ（黒））にスプレー方式で７回噴霧した。ついで、前記抜染剤の塗布部上に、表面が平滑なテフロン（登録商標）シートを置いた状態で、前記塗布部をアイロンを動かしながら加熱した。つぎに、前記Ｔシャツを洗濯機で通常洗濯（洗剤あり）した後、日陰で自然乾燥させた。前記Ｔシャツの抜染度合を、Ｘ−Ｒｉｔｅ社製の分光測色計ＳｐｅｃｔｒｏＥｙｅ（光源：Ｄ６５／１０）を用いて測定した光学濃度（ＯＤ値）により評価した。ＯＤ値が低くなるほど、色が抜けていることを表す。なお、抜染前の前記ＴシャツのＯＤ値は、１．７であった。
【００９４】
実施例４−１〜４−３の抜染剤の組成及び評価結果を、表７に示す。
【００９５】
【表７】
2014208928.tif 000009
【００９６】
表７に示すとおり、実施例４−１〜４−３では、抜染剤の調製から２月経過後においても、ＯＤ値が抜染前の１．７から大幅に低下し、かなり色が抜けていた。特に、β‐ジケトンであるＮ−メチルアセト酢酸アミドを使用した実施例４−２では、ＯＤ値が最も低下し、しかも調製から３月を経過した後であっても、極めて低いＯＤ値を維持した。
【産業上の利用可能性】
【００９７】
以上のように、本発明の抜染剤は、抜染力の向上及び長期にわたる保存安定化の少なくとも一方が可能なものである。本発明の抜染剤の用途は、特に限定されず、各種の布帛の抜染に広く適用可能である。
【符号の説明】
【００９８】
１  インクジェットプリンタ
４  キャリッジ
５  インクジェットヘッド（液体吐出手段）
１２  プラテン（支持体）
１５  固定フレーム
１６  支持面
７０  印刷制御装置
７１  本体
７２  表示部
７３  キーボード
７４  マウス
９０  画像データ取得部
９１  画像データ記憶部
１００  Ｔシャツ
１１０、１２０  塗布部
【図１】
2014208928.tif 000010
【図２】
2014208928.tif 000011
【図３】
2014208928.tif 000012
【図４】
2014208928.tif 000013
【図５】
2014208928.tif 000014
【図６】
2014208928.tif 000015